(57)【要約】  【課題】      本発明は、携帯品の置忘れを防止する携帯通信装置を提供することを目的する。  【解決手段】  携帯する物品に設けられるとともに固有の識別コードを記憶されたＩＣチップを有するＲＦＩＤと、このＲＦＩＤに記憶された前記固有の識別データを問合せる問合せ手段と、この問合せ手段により固有の識別番号を含む応答信号が受信されない時に、報知する報知手段とを有する携帯通信装置である。  【選択図】    図２   
2005135136.tif 000002
【特許請求の範囲】
【請求項１】
携帯する物品に設けられるとともに固有の識別コードを記憶されたＩＣチップを有するＲＦＩＤと交信する携帯通信装置であって、
前記ＲＦＩＤに記憶された前記固有の識別コードを問合せる問合せ手段と、この問合せ手段により前記固有の識別コードを含む応答信号が受信されない時に、報知する報知手段と、を有することを特徴とする携帯通信装置。
【請求項２】
前記報知手段は音声メッセージであることを特徴とする請求項１記載の携帯通信装置。
【請求項３】
前記携帯する物品の前記固有の識別コードに対応する音声メッセージが記憶されたメッセージ記憶手段を有し、前記問合せ手段により前記固有の識別コードを含む応答信号が受信されない時に、前記固有の識別コードに対応する音声メッセージを前記メッセージ記憶手段から呼び出す呼出手段と、この呼出手段により呼び出された音声メッセージを前記報知手段により報知することを特徴とする請求項１記載の携帯通信装置。
【発明の詳細な説明】
【技術分野】
【０００１】
本発明は、ＲＦＩＤと交信する携帯通信装置であって、携帯する物品が置き忘れた時に、置き忘れを持主に知らせる携帯通信装置に関する。
【背景技術】
【０００２】
携帯する物品（以下、適宜「携帯品」という）には、携帯電話、財布、定期ケースやキーケースなど様々な貴重な携帯品が携帯されている。携帯電話や財布は、ポケットから出し入れする頻度が多いことから、しばしば置忘れたり、携帯品が不意にポケットから落としたりすることがあって、気付かなかったりする問題がある。
特許文献１には、携帯用無線電話機の収納ケースに係止状態検出部を設け、この係止状態検出部で検出される携帯用無線電話機の収容ケースの係止状態を基に携帯用無線電話機が置忘れ状態にあるか否かを判定し、置忘れ状態の場合にはアラーム機構を駆動するための信号を出力する構成が開示されている。
【０００３】
しかしながら、特許文献１に開示された置き忘れ防止装置は、携帯用無線電話機のケースに限られるような複雑な構成であり、財布、定期ケースやキーケースなどの貴重な携帯品に適用することが困難であるという問題がある。
また、複数の貴重な携帯品に置忘れ用のアラーム機構を適用したとした場合に、振動や警告音を発生しても何れの携帯品が置き忘れたのか困惑し、直ぐに判明しないという問題がある。
【特許文献１】特開２００３−５０９７８号公報
【発明の開示】
【発明が解決しようとする課題】
【０００４】
本発明は、携帯電話、財布、定期ケースやキーケースなど様々な貴重な携帯品の置忘れを防止する携帯通信装置を提供することを目的する。
また本発明は、複雑な構造にすることなく各種の携帯品に適用することができる携帯通信装置を提供することを目的する。
また本発明は、何れの種類の携帯品が置き忘れたのか把握することができる携帯通信装置を提供することを目的する。
【課題を解決するための手段】
【０００５】
本発明は、ＲＦＩＤのＩＣチップに携帯品の固有の識別データを書き込みすることに着目したので、請求項１記載の発明の要旨は、携帯する物品に設けられるとともに固有の識別コードを記憶されたＩＣチップを有するＲＦＩＤと交信する携帯通信装置であって、前記ＲＦＩＤに記憶された前記固有の識別コードを問合せる問合せ手段と、この問合せ手段により前記固有の識別コードを含む応答信号が受信されない時に、報知する報知手段と、を有することを特徴とする携帯通信装置にある。
また、請求項２記載の発明の要旨は、前記報知手段は音声メッセージであることを特徴とする請求項１記載の携帯通信装置にある。
また、請求項３記載の発明の要旨は、前記携帯する物品の前記固有の識別コードに対応する音声メッセージが記憶されたメッセージ記憶手段を有し、前記問合せ手段により前記固有の識別番号を含む応答信号が受信されない時に、前記固有の識別コードに対応する前記音声メッセージを前記メッセージ記憶手段から呼び出す呼出手段と、この呼出手段により呼び出された音声メッセージを前記報知手段により報知することを特徴とする請求項１記載の携帯通信装置にある。
【発明の効果】
【０００６】
本発明の携帯通信装置は、携帯品の形状を損なわないような構造にすることができるとともに、置忘れを持主に知らせることができる。
同種の携帯品や異種の携帯品においても、音声で携帯する物品の物品名をメッセージで報知されるので、置忘れた物品名が特定され、持主は容易に置忘れた携帯する物品名を判断することができる。
【発明を実施するための最良の形態】
【０００７】
本発明の実施の形態を図１乃至図４に基づいて説明する。
図１は腰ベルトに設けた携帯通信装置の斜視図であり、図２は携帯通信装置の制御部を説明するブロック図であり、図３はＲＦＩＤの平面図であり、図４は置忘れ防止情報を設定する表示画面の一例を示した説明図である。
【０００８】
携帯通信装置１は、貴重な携帯品（図示せず）の置忘れを防止するための持主の腰ベルト２に取り付けられるような形状を有した装置本体３から構成される。
携帯通信装置１には、ＲＦアンテナ４と、表示部５と、スピーカー６と、制御部１０と、赤外線受信部１８と、バッテリー（図示せず）と、が設けられている。
尚、装置本体３には、光通信としての赤外線通信することが可能な赤外線通信窓７が形成されてある。
【０００９】
ＲＦアンテナ４は、装置本体３の内部に設けられ後述するＲＦＩＤ２０と所定の距離を交信することができるように設けられている。
この実施の形態の携帯通信装置１と、ＲＦＩＤ２０と、の交信距離については、電磁誘導型方式の近傍型を採用することにより、交信距離を１ｍ程度まで離れた位置まで交信するように周波数を１３５ＫＨＺにした。
表示部５は、電源表示５ａ、バッテリー表示５ｂおよび置忘れ表示５ｃの表示をするための発光ダイオードが装置本体３の天面に設けられている。電源表示５ａは、図示しない電源スイッチにより電源が投入されると電源表示５ａが点灯するようにしてあり、バッテリー表示５ｂは、装置本体３に備えたバッテリーのバッテリー残量が所定の値より少なくなると点灯または点滅するようにしてり、置忘れ表示５ｃは、後述する携帯品に取り付けられた固有の識別データを記憶されたＲＦＩＤ２０と、ＲＦアンテナ４との交信する交信エリア外にあり、携帯品に取り付けた固有の識別データを記憶されたＲＦＩＤ２０からの応答がない場合に、置忘れとして点灯するようにしてある。
スピーカー６は、表示部５と同様に装置本体３の天面に設けられ、上述のように携帯品に取り付けた固有の識別データを記憶されたＲＦＩＤ２０からの応答がない場合に置忘れとして、携帯品の物品名を音声で報知するようにしてある。
尚、この実施の形態での報知手段は、目視可能な表示部５としての置忘れ表示５ｃ、スピーカー６として説明するが、ブザー、チャイムあるいはメロデイであってもよい。
【００１０】
図２は、携帯無線装置の制御部を説明するブロック図である。同図に示すように、制御部１０は、制御プログラム、各種固定データ、ＩＯ定数、交信制御プログラム等を記憶するＲＯＭ（ｒｅａｄ  ｏｎｌｙ  ｍｅｍｏｒｙ）１２と、ＲＯＭ１２に記憶されている各種制御プログラムに従って動作し、各部を制御するＣＰＵ（ｃｅｎｔｒａｌ  ｐｒｏｃｅｓｓｉｎｇ  ｕｎｉｔ）１１と、ＣＰＵ１１が動作する上で必要となる各種データを記憶するワークエリアと音声メッセージを記憶するメッセージ記憶手段とを有するＲＡＭ（ｒａｎｄｏｍ  ａｃｃｅｓｓ  ｍｅｍｏｒｙ）１３と、ＣＰＵ１１の制御下、後述する赤外線受信部１８により受信した少なくともＲＦＩＤ２０の固有の識別データを含む置忘れ設定データを格納する書換え可能なＥＥＰＲＯＭ（ｅｌｅｃｔｒｉｃａｉｉｙ  ｅｒａｓａｂｌｅ  ｐｒｏｇｒａｍｍａｂｌｅ  ｒｅａｄ−ｏｎｌｙ  ｍｅｍｏｒｙ）１４と、ＣＰＵ１１の制御下、携帯の物品を音声で知らせるスピーカー６を制御する音声制御回路１５と、ＣＰＵ１１の制御下、ＲＦアンテナ４を制御するＲＦ制御回路１６と、ＣＰＵ１１の制御下、電源表示５ａ、バッテリー表示５ｂおよび置忘れ表示５ｃを制御する表示制御回路１７と、ＣＰＵ１１の制御下、赤外線受信部１８で受信した置忘れ設定データをＥＥＰＲＯＭ１４に記憶させる赤外線制御回路１９と、から構成されている。
【００１１】
一方、携帯無線装置１と交信する携帯品に取り付けられるＲＦＩＤ２０は、ＩＣチップ２１とアンテナ２２とを備えた本体を、ＰＥＴ樹脂素材などのフィルムなどで覆った構成とされている。ＲＦＩＤ２０の厚みは、１ｍｍ以下なので携帯品の形状を損なうことがなく、携帯品の内包に取り付けられる構造とすることができる。
ＩＣチップ２１には、図示しないが電導レギュレータ、クロック再生回路（ロジック生成）、通信ロジック及び不揮発性メモリなどを備えている。なお、ＩＣチップ２１には、アンテナ２２を接続されている。
不揮発性メモリとしては、たとえばＥＥＰＲＯＭが用いられている。このＥＥＲＯＭは電気的に書き換え可能なＲＯＭである。
このような構成において、交信エリア内で携帯無線装置１からの微弱な電波でＲＦＩＤ２０に問合せが行われ、この問合せは、所定の周波数を信号情報によって、電磁誘導方式によりオン／オフするＡＳＫ変調方式が用いられる。  
こうして発生した電磁誘導磁界にＩＣチップ２１がかざされると、アンテナ２２に起電力が発生する。アンテナ２２に発生した起電力は、内部電源とされ、アンテナ２２を介して取込まれた信号は、クロック再生回路によって再生された後、不揮発性メモリから少なくとも固有の識別データが読みとられる。読みとられた固有の識別データは、アンテナ２２から出力され、携帯無線装置１のＲＦアンテナ４によって受信される。
【００１２】
このように構成されたＲＦＩＤ２０を、例えば、携帯品である携帯電話機、二つの財布、キーケース（何れも図示せず）に各々ＲＦＩＤ２０を取付ける。ＲＦＩＤ２０を取付けた携帯電話機、二つの財布、キーケースは、ＲＦＩＤ２０のＩＣチップ２１に対して、読書きすることができるＲＦＩＤ読書き装置（図示せず）により、各々のＩＣチップ２１に異なった固有の識別データを記憶させる。
この実施の形態では、携帯電話の固有の識別データとして「１０１」、財布として小銭ケースの固有の識別データとして「財布Ａ」に「２０１」と「財布Ｂ」に「２０２」、キーケースの固有の識別データとして「３０１」として各々のＲＦＩＤのＩＣチップに記憶させる。
【００１３】
次に、置忘れ防止情報を携帯無線装置１に記憶させる方法について説明する。
固有の識別データを含む置忘れ防止データは、例えばパーソナルコンピュータ（以下、「パソコン」という）で設定し、設定した置忘れ防止データをパソコン（図示せず）に備えた赤外線送信部により携帯無線装置１に送られるようにしてある。
携帯無線装置１は、赤外線通信窓７を介して赤外線受信部１８で少なくとも固有の識別データを含む置忘れ防止データを受信し、受信された置忘れ防止データは赤外線制御回路１９を介してＥＥＰＲＯＭ１４に記憶されるようにしてある。
【００１４】
図４は置忘れ防止データを設定するパソコンの表示画面の表示の一例を示した説明図である。
表示画面８に表示された置忘れ防止データは、携帯品欄２３、固有の識別データ欄２４、音声コード欄２５、設定欄２６を有し、これら各欄を置忘れ設定データ表３０として表示してある。
携帯品欄２３は、携帯品の物品名を登録する欄であり、この実施の形態では「携帯電話」、「財布Ａ」、「キーケース」、「財布Ｂ」が登録されている。
固有の識別データ欄２４は、前述した各携帯品に取り付けたＲＦＩＤに記憶された固有の識別データと同一の固有の識別データが登録される。すなわち、「携帯電話」の固有の識別データとして「１０１」、「財布Ａ」の固有の識別データとして「２０１」と「財布Ｂ」の固有の識別データとして「２０２」、「キーケース」の固有の識別データとして「３０１」として登録される。
尚、固有の識別コードは、数字に限定することなく文字や記号など任意に登録することが可能である。
【００１５】
音声コード欄２５は、コード番号を登録するようにしてあり、携帯無線装置１のＲＡＭ１３に予め設定してある音声メッセージのコード番号に対応するようにしてある。
ＲＡＭ１３に記憶されているコード番号に対応する音声メッセージは、少なくとも携帯品の物品名（携帯品名）を含むメッセージが記憶されている。（携帯品名記憶手段）
表示画面８では、「携帯電話」の音声コード欄２５に「１」、同様に「財布Ａ」に「２」、「キーケース」に「３」、「財布Ｂ」に「４」が登録されている。
例えば、携帯電話の音声コード欄２５に設定した「１」に対応するメッセージがＲＡＭ１３から呼び出されると、音声制御回路１５を介してスピーカー６から「ケイタイデンワガ  アリマセン」の音声メッセージで報知するようにしてある。また、財布Ａの音声コード欄２５に設定した「２」に対応するメッセージがＲＡＭ１３から呼び出されると、音声制御回路１５を介してスピーカー６から「コインケースガ  アリマセン」の音声メッセージで報知するようにしてある。
【００１６】
設定欄２６は、「１」または「０」の数字を設定するようにしてあり、「１」を設定することにより設定を有効にして、「０」を設定することにより設定を無効にするようにしてある。
具体的には、「携帯電話」の設定欄２６を「１」にすることにより有効になり、携帯電話の固有の識別データがアンテナ４から呼び出すようする。これにより、携帯通信装置１の交信エリア内に携帯電話に取付けた固有の識別データを記憶したＲＦＩＤ２０との間で交信が可能になり、また交信エリア内に携帯電話がない時に、音声コードに対応するメッセージを発生させるように制御するようにしてある。
携帯電話の設定欄２６を「０」にすると設定が無効になり、ＲＦアンテナ４と携帯電話に取付けた固有の識別データを記憶したＲＦＩＤ２０との間で、交信エリア内外の何れのときも、音声コードに対応するメッセージを発生させないように制御してある。
この実施の形態では、「携帯電話」、「財布Ａ」、「キーケース」、「財布Ｂ」の４つの携帯品について、設定を「１」にして、置忘れ防止をするように設定してある。
【００１７】
上述のように設定した置忘れ設定データ表３０は、赤外線通信により携帯無線装置１に置忘れデータとして各欄のデータを送信する。携帯無線装置１は、赤外線受信部１８で受信するとともに赤外線制御回路１９を介してＥＥＰＲＯＭ１４に記憶される。
置忘れデータをＥＥＰＲＯＭ１４に記憶された携帯無線装置は、腰ベルト２に取り付けられ、携帯無線装置１の電源スイッチ（図示せず）を閉成することにより、携帯無線装置１に電源が投入され、ＲＦ制御回路１６を介してＲＦアンテナ４から各携帯品について順次、各携帯品の固有の識別コードを問合せる電波が発生するようにしてある。（問合せ手段）
ＲＦアンテナ４から発生する電波は、置忘れ設定データ表３０で設定した上から順に問合せる電波を発生し、この問合わせに対して交信エリア内に携帯電話がある場合には、携帯電話に取付けられたＲＦＩＤのＩＣチップに記憶された固有の識別コード「１０１」を含む応答信号が送信され、ＲＦアンテナ４が固有の識別コード「１０１」を受信することにより、交信エリア内に携帯電話があると判断される。
次に、財布Ａ、キーケース、財布Ｂの順に各々の固有の識別コードを問合せ、各々の携帯品に取付けたＲＦＩＤからの各々の固有の識別コードを含む応答信号が送信され、ＲＦアンテナ４が各携帯品の固有の識別コードを順次、受信することにより各携帯品からの応答があると交信エリア内に携帯品があると判断され、音声メッセージは出力されないように制御される。
このように携帯品を順次所定の間隔で問合せするようにしてある。
【００１８】
次に、携帯品が交信エリア内にない場合、携帯品の固有の識別コードが送信されないので、携帯無線装置１のＲＦアンテナ４に固有の識別コードが受信されないことになる。したがって、固有の識別コードが受信されない携帯品に対する音声コード欄２５のコード番号からＲＡＭ１３に記憶された、コード番号に対応する音声メッセージを呼び出して音声制御回路１５を介してスピーカー６から警告のメッセージが発生し持主に知らされるように制御するようにしてある（報知手段）。
例えば、交信エリア内に携帯電話がない場合には、携帯電話の固有の識別データを記憶したＲＦＩＤ２０から固有の識別コード「１０１が送信されないので、ＲＦアンテナ４に応答の固有の識別コード「１０１」が受信されない。したがって、固有の識別コード「１０１」に対応する音声コード「１」をＲＡＭ１３に記憶されたメッセージ記憶手段から音声コード「１」に対応する音声メッセージを呼び出して（呼出手段）、音声制御回路１５を介してスピーカー６から「ケイタイデンワガ  アリマセン」という音声メッセージを報知して持主に知らされるようにしてある。
【００１９】
このように、固有の識別コードを記憶したＲＦＩＤを携帯品に取付けることにより、携帯品の種類や数に限定されることなく携帯品を識別できるので、種類の同じ携帯品にＲＦＩＤを取り付けた場合でも、固有の識別データを異なるように設定し、各々メッセージを異なるようにすると、何れの携帯品が置き忘れたかを、直ぐに持主が判断することができる。
【００２０】
この実施の形態では、携帯電話、財布、キーケースにＲＦＩＤに取り付けた実施の形態で説明したが、定期ケースや時計など様々な携帯の物品に取り付けることができる。
また、この実施の形態では、ＲＦＩＤとの交信距離については、電磁誘導型方式の近傍型を採用してＲＦＩＤとの交信距離を１ｍ程度としたが、周波数を２．４５ＧＨＺを採用して、交信距離を長くしてもよく、通信距離は置忘れ防止をすることができる任意範囲とすることができる。
さらにまた、携帯無線装置に設けたアンテナ４に対して直行する方向にアンテナを設けてもよい。さらにアンテナ４を腰ベルトに設けてもよい。
【００２１】
なお、本発明が上記実施の形態に限定されず、本発明の技術思想の範囲内において、実施の形態は適宜変更され得ることは明らかである。
また、上記各構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２２】
【図１】本発明の腰ベルトに設けた携帯通信装置の斜視図である。
【図２】同上、携帯通信装置の制御を説明するブロック図である。
【図３】同上、ＲＦＩＤの平面図である。
【図４】同上、置忘れ防止データを設定する表示画面の一例を示した説明図である。
【符号の説明】
【００２３】
１      携帯無線装置
３      装置本体
４      ＲＦアンテナ
６      スピーカー
７      赤外線通信窓
８      表示画面
１０      制御部
１１      ＣＰＵ    
１２      ＲＯＭ
１３      ＲＡＭ
１４      ＥＥＰＲＯＭ
１５      音声制御回路
１６      ＲＦ制御回路
１７      表示制御回路
１８      赤外線受信部
１９      赤外線制御回路
２０      ＲＦＩＤ
３０      置忘れ設定データ表    
【図１】
2005135136.tif 000003
【図２】
2005135136.tif 000004
【図３】
2005135136.tif 000005
【図４】
2005135136.tif 000006